(57)【要約】  本発明は、手袋、特に作業用手袋、検査用手袋又は手術用手袋であって、一体的な手袋本体が設けられており、該手袋本体が本来の手部分（１）と該手部分に続くカフ部分（２）とを有しており、該カフ部分（２）の外側表面にカフ部分（２）の後縁部（４）から間隔をおいて、少なくとも１つのグリップ補助（３,３ａ）が設けられている形式のものに関する。このような形式の手袋において、汚れた又は汚染された外側面が装着者の皮膚と接触することを回避しながら、補助手段なしにしかもカフ部分が極めて短い場合でも、人間工学的に有利に簡単な形式で、手袋を脱ぐことができるようにするために、本発明の構成では、少なくとも１つのグリップ補助（３,３ａ）がカフ部分（２）の周方向で見て、手首の尺骨茎状突起の領域を覆う手袋領域に配置されている。また択一的に本発明の別の構成では、カフ部分（２）の後縁部（４）から間隔をおいて少なくとも１つのグリップ補助（３,３ａ）が、カフ部分（２）の周囲の少なくとも１８０°にわたって延在している。さらに別の択一的な構成では、手袋対の各手袋に少なくとも１つのグリップ補助（３,３ａ,５）が設けられており、該グリップ補助（３,３ａ,５）が両方の手袋において、カフ部分（２）の互いに隣接する周方向区分に設けられていて、少なくともほぼ３０°の角度間隔を有している。
2007508469.tif 000002
【特許請求の範囲】
【請求項１】
手袋、特に作業用手袋、検査用手袋又は手術用手袋であって、有利には防水性で弾性的な材料、例えばゴムから成る一体的な手袋本体が設けられており、該手袋本体が本来の手部分（１）と該手部分に続くカフ部分（２）とを有しており、該カフ部分（２）の外側表面にカフ部分（２）の後縁部（４）から間隔をおいて、少なくとも１つのグリップ補助（３,３ａ）が設けられている形式のものにおいて、少なくとも１つのグリップ補助（３,３ａ）がカフ部分（２）の周方向で見て、手首の尺骨茎状突起の領域を覆う手袋領域に配置されていることを特徴とする手袋。
【請求項２】
少なくとも１つのグリップ補助（３,３ａ）が、手首の尺骨茎状突起の領域を覆うカフ部分（２）の周囲部分を起点として、約９０°の角度範囲にわたって延在している、請求項１記載の手袋。
【請求項３】
少なくとも１つのグリップ補助（３,３ａ）が、手首の尺骨茎状突起の領域を覆うカフ部分（２）の周囲部分を起点として、約９０°の角度範囲にわたって、掌側を覆うカフ部分（２）の周囲部分に向かって延在している、請求項２記載の手袋。
【請求項４】
手袋、特に作業用手袋、検査用手袋又は手術用手袋であって、有利には防水性で弾性的な材料、例えばゴムから成る一体的な手袋本体が設けられており、該手袋本体が本来の手部分（１）と該手部分に続くカフ部分（２）とを有しており、該カフ部分（２）の外側表面に、少なくとも１つのグリップ補助（３,３ａ）が設けられている形式のものにおいて、カフ部分（２）の後縁部（４）から間隔をおいて少なくとも１つのグリップ補助（３,３ａ）が、カフ部分（２）の周囲の少なくとも１８０°にわたって延在していることを特徴とする手袋。
【請求項５】
少なくとも１つのグリップ補助（５）が、カフ部分（２）の全周にわたって延在している、請求項４記載の手袋。
【請求項６】
グリップ補助（３,３ａ,５）が１回又は複数回中断されている、請求項２から５までのいずれか１項記載の手袋。
【請求項７】
手袋対、特に作業用手袋、検査用手袋又は手術用手袋のような２つの手袋から成る手袋対であって、有利には防水性で弾性的な材料、例えばゴムから成る各１つの一体的な手袋本体が設けられており、該手袋本体が本来の手部分（１）と該手部分に続くカフ部分（２）とを有しており、該カフ部分（２）の外側表面にカフ部分（２）の後縁部（４）から間隔をおいて所定の周囲区分に、少なくとも１つのグリップ補助（３,３ａ,５）が設けられている形式のものにおいて、手袋対の各手袋に少なくとも１つのグリップ補助（３,３ａ,５）が設けられており、該グリップ補助（３,３ａ,５）が両方の手袋において、カフ部分（２）の互いに隣接する周方向区分に設けられていて、少なくともほぼ３０°の角度間隔を有していることを特徴とする手袋対。
【請求項８】
グリップ補助（３,３ａ,５）が両方の手袋において少なくとも約１３５°の角度間隔を有しており、有利にはグリップ補助が両方の手袋において、互いにほぼ直径方向で向かい合って位置するように配置されている、請求項７記載の手袋対。
【請求項９】
少なくとも１つのグリップ補助（３,３ａ,５）が、少なくともほぼ９０°の各範囲にわたって延在している、請求項７又は８記載の手袋対。
【請求項１０】
少なくとも１つのグリップ補助（５）が、カフ部分（２）の全周にわたって延在している、請求項９記載の手袋対。
【請求項１１】
グリップ補助（３,３ａ,５）が１回又は複数回中断されている、請求項１０記載の手袋対。
【請求項１２】
付加的に少なくとも１つのグリップ補助（３ｂ）が、カフ部分（２）の内側に設けられている、請求項１から１１までのいずれか１項記載の手袋又は手袋対。
【請求項１３】
カフ部分（２）の内側における少なくとも１つのグリップ補助（３ｂ）が、カフ部分（２）の外側におけるグリップ補助（３,３ａ,５）よりも手部分（１）の近くに位置している、請求項１２記載の手袋又は手袋対。
【請求項１４】
手首関節の尺骨茎状突起の領域を覆うカフ部分（２）の外側におけるグリップ補助（３,５）が、手内側を覆うカフ部分（２）の周方向区分におけるグリップ補助（３ａ,５）よりも、手袋の手部分（１）の近くに位置している、請求項１から１３までのいずれか１項記載の手袋又は手袋対。
【請求項１５】
少なくとも１つのグリップ補助（３,３ａ,５）が、少なくとも１つの貫通した開口（６）を有している、請求項１から１４までのいずれか１項記載の手袋又は手袋対。
【請求項１６】
グリップ補助（３,３ａ）が、カフ部分（２）から隆起しているループとして形成されている、請求項１５記載の手袋又は手袋対。
【請求項１７】
少なくとも１つのグリップ補助（３,３ａ）が、少なくとも片側において開放したポケットを有している、請求項１から１４までのいずれか１項記載の手袋又は手袋対。
【請求項１８】
少なくとも１つのグリップ補助（３,３ａ）の方向付けが、最大で８０°カフ部分（２）の長手方向軸線から偏位しており、有利にはほぼカフ部分（２）の長手方向軸線と合致している、請求項１５から１７までのいずれか１項記載の手袋又は手袋対。
【請求項１９】
少なくとも１つのグリップ補助（３,３ａ,５）が、カフ部分（２）の長手方向軸線に対してほぼ直角に方向付けられている、請求項１５から１７までのいずれか１項記載の手袋又は手袋対。
【請求項２０】
少なくとも１つのグリップ補助（３,３ａ）が、中間部分に設けられているか又は中間部分と一体的に形成されており、該中間部分自体がカフ部分（２）に設けられているか又はカフ部分（２）と一体的に形成されている、請求項１５から１９までのいずれか１項記載の手袋又は手袋対。
【請求項２１】
少なくとも１つのグリップ補助（３,３ａ）が、ストラップ状、舌片状又は糸状の付加部として形成されている、請求項１から２０までのいずれか１項記載の手袋又は手袋対。
【請求項２２】
少なくとも１つのグリップ補助（３,３ａ）が、手袋の内側に向かって開放していて外方に向かって突出している中空の突出部として形成されている、請求項１から２１までのいずれか１項記載の手袋又は手袋対。
【請求項２３】
カフ部分（２）の周方向において相前後して少なくとも２つのグリップ補助（３,３ａ）が設けられていて、該グリップ補助（３,３ａ）が、カフ部分（２）の長手方向軸線に対して互いに異なった方向に方向付けられている、請求項１から２２までのいずれか１項記載の手袋又は手袋対。
【請求項２４】
少なくとも１つのグリップ補助（３,３ａ,５）が少なくとも１回、カフ部分（２）の長手方向軸線に対するその方向付けを変化させている、請求項１から２３までのいずれか１項記載の手袋又は手袋対。
【請求項２５】
少なくとも１つのグリップ補助（３,３ａ,５）が、グリップ性を高める表面構造（８）を有している、請求項１から２４までのいずれか１項記載の手袋又は手袋対。
【請求項２６】
少なくとも１つのグリップ補助（３,３ａ,５）が、カフ部分（２）の表面から少なくとも部分的に大きくなる横断面を有している、請求項１から２５までのいずれか１項記載の手袋又は手袋対。
【請求項２７】
少なくとも１つのグリップ補助（３,３ａ,５）の領域に、カフ部分（２）の伸長領域（Ｘ）が設けられている、請求項１から２６までのいずれか１項記載の手袋又は手袋対。
【請求項２８】
少なくとも１つのグリップ補助（３,３ａ,５）が、手袋のカフ部分（２）とは異なった材料、有利には掴みやすい材料から製造されているか又はこのような材料を備えている、請求項１から２７までのいずれか１項記載の手袋又は手袋対。
【請求項２９】
互いに接続してかつ／又は互いに交差するようにカフ部分（２）の周方向において少なくとも２つのグリップ補助（３,３ａ,５）が設けられていて、該グリップ補助（３,３ａ,５）がカフ部分（２）の長手方向軸線に対して互いに異なった方向で方向付けられている、請求項１から２８までのいずれか１項記載の手袋又は手袋対。
【請求項３０】
グリップ補助（３,３ａ,５）及び／又は、少なくともカフ部分（２）とグリップ補助（３,３ａ,５）との間の移行領域が、例えば混入された補強繊維を用いて補強されている、請求項１から２９までのいずれか１項記載の手袋又は手袋対。
【発明の詳細な説明】
【技術分野】
【０００１】
本発明は、手袋、特に作業用手袋、検査用手袋又は手術用手袋であって、有利には防水性で弾性的な材料、例えばゴムから成る一体的な手袋本体が設けられており、該手袋本体が本来の手部分と該手部分に続くカフ部分とを有しており、該カフ部分の外側表面に、場合によってはカフ部分の後縁部から間隔をおいて、少なくとも１つのグリップ補助が設けられている形式のものに関する。
【０００２】
本発明はまた、手袋対、特に作業用手袋、検査用手袋又は手術用手袋のような２つの手袋から成る手袋対であって、有利には防水性で弾性的な材料、例えばゴムから成る各１つの一体的な手袋本体が設けられており、該手袋本体が本来の手部分と該手部分に続くカフ部分とを有しており、該カフ部分の外側表面にカフ部分の後縁部から間隔をおいて所定の周囲区分に、少なくとも１つのグリップ補助が設けられている形式のものに関する。
【０００３】
米国特許第４８７６７４７号明細書に記載された手袋は、フックを用いて引き抜いて脱ぐことができ、この場合両手の手袋は２つのフックが存在している場合、使用者の両手から同時に引き外すことができる。そのために手袋縁部に対して平行にかつカフ部分の手の甲側に、開口もしくはループが設けられており、この開口もしくはループに、壁又はこれに類したものに取り付けられたフックを導入することができるようになっている。さらにこのループはまた他方の手によって掴んで、手袋を外すことも可能であり、しかしながら残った第２の手袋を脱ぐためには、いずれにせよフックが必要である。
【０００４】
米国特許第５５７９５３９号明細書に基づいて公知のエラストマ材料製の手袋は、カフ部分において親指側に又は、手の甲部分とは反対側のカフ部分に、場合によっては手の甲部分自体にも、それぞれカフ部分の後縁部から間隔をおいて、引き外し補助もしくは脱ぎ補助を有している。この公知の構成では、手及び／又は前腕を人間工学的及び解剖学的に不都合な形で相応に捻ることによって、両方の手袋を同時に脱ぐことができるが、これはかなり骨の折れる動作である。しかも必要な両手の捻りによって、脱ぎ補助が滑ってしまうおそれが極めて大きく、手袋の汚れた外側が装着者の皮膚にはね返るおそれがある。
【０００５】
通常の使用時には覆われているカフ部分の手の甲部分に設けられたストラップ、糸、舌片又はこれに類したものの形をした引き外し補助が、米国特許第５４６７４８３号明細書に開示されている。この引き外し補助によってはしかしながら両方の手袋を同時に脱ぐことはほとんど不可能である。しかしながらまた、引き外し補助がカバーの開放後に汚染されないことを、十分確実に保証することは不可能なので、引き外し補助をまだ汚染されていない手によって把持することは、この手の汚染のおそれと結び付いている。
【０００６】
ゆえに本発明の課題は、冒頭に述べた形式の手袋を改良して、人間工学的に有利な簡単な形式で、別体の補助手段を要することなく、また極めて短いカフ部分でも、手袋を引き外して脱ぐことができるようにすることであり、さらにこの場合汚れた又は汚染された手袋外側が装着者の皮膚と接触するおそれのない手袋を提供することである。同時にまた手袋の装着も容易かつ簡単になることが望まれており、しかもこの場合装着者が例えば滅菌された手袋の外側を、滅菌されていない身体部分又は補助手段と接触させる必要のないことが望まれている。
【０００７】
この課題を解決するために本発明の第１の解決策では、少なくとも１つのグリップ補助がカフ部分の周方向で見て、手首の尺骨茎状突起の領域を覆う手袋領域に配置されているようにした。
【０００８】
極めて短いカフ部分を備えた手袋のためには、このようなグリップ補助は、周方向で見て小指側領域において、手部分に配置されることができる。グリップ補助として使用可能なグリップ補助のこのような幾何学的な配置形式によって、各手袋のグリップ補助は、ほぼ平行に保たれた腕もしくは手の有利な位置において、それぞれ他方の手によって掴んで、手袋を脱ぐために利用することができる。場合によっては汚れている又は汚染されている手袋外側は、直に手と接触することがなく、それぞれ他方の手袋によって保護された手としか接触しない。
【０００９】
本発明の有利な構成では、少なくとも１つのグリップ補助が、手首の尺骨茎状突起の領域を覆うカフ部分の周囲部分を起点として、約９０°の角度範囲にわたって延在している。「尺骨茎状突起（Knoechelbereich）」という概念は、この場合主としてカフ部分において周方向におけるポジションを規定している。それというのは、グリップ補助を簡単に掴むためにグリップ補助は、手袋の手部分よりも、カフ部分の後端部の近くに位置しているからである。
【００１０】
本発明の別の有利な構成では、少なくとも１つのグリップ補助が、手首の尺骨茎状突起の領域を覆うカフ部分の周囲部分を起点として、約９０°の角度範囲にわたって、掌側を覆うカフ部分の周囲部分に向かって延在している。
【００１１】
前記課題を解決するために本発明の第２の解決策では、カフ部分の後縁部から間隔をおいて少なくとも１つのグリップ補助が、カフ部分の周囲の少なくとも１８０°にわたって延在しているようにした。
【００１２】
グリップ補助として利用可能なグリップ補助がこのように構成されていると、手袋は、互いにほぼ平行に保たれた装着者の両腕及び両手の、装着者にとって有利な位置において、それぞれ他方の手によって掴んで、手から引く抜くことができ、この際に場合によっては汚れた又は汚染された手袋外側面が皮膚と接触することはなく、汚れた又は汚染された手袋外側面は、それぞれ他方の手袋によって保護された手としか接触しない。
【００１３】
このような手袋の構成において、少なくとも１つのグリップ補助が、カフ部分の全周にわたって延在していると有利である。このようになっていると、脱ぎ動作中における装着者の手及び前腕の相対位置において最大可能な自由度が得られる。
【００１４】
さらに本発明の第２の解決策における別の構成では、グリップ補助が１回又は複数回中断されている。このように構成されていると、例えば表面が濡れている場合でもグリップ補助を確実に掴むことが容易になる。
【００１５】
前記課題を解決するために本発明の第３の解決策では、冒頭に述べた形式の手袋対において、手袋対の各手袋に少なくとも１つのグリップ補助が設けられており、該グリップ補助が両方の手袋において、カフ部分の互いに隣接する周方向区分に設けられていて、少なくともほぼ３０°の角度間隔を有しているようにした。この角度間隔はグリップ補助の幾何学的な中心に該当し、これに対して２つのグリップ補助の間におけるグリップ補助のない間隔は場合によっては、特に極めて伸長されたグリップ補助の場合に、小さな角度範囲を成すことができる。グリップ補助をこのような幾何学的に配置することによって、各手袋のグリップ補助を、ほぼ平行に保たれた両腕及び両手の自然な位置で簡単にそれぞれ他方の手によって掴むことができ、かつ手袋を脱ぐのに利用することができる。汚れた又は汚染された手袋の外側はこの場合皮膚と接触せず、他方の手袋によって保護された手としか接触しない。両方の手袋は有利には同時に脱いだ時に、同時に自動的に裏返され、これによって後続の取扱いを簡単かつ確実に行うことができる。
【００１６】
本発明の別の有利な構成では、グリップ補助が両方の手袋において少なくとも約１３５°の角度間隔を有しており、有利にはグリップ補助が両方の手袋において、互いにほぼ直径方向で向かい合って位置するように配置されている。グリップ補助の角度間隔のためのこのような値は、大部分の手袋装着者のために、人間工学的に有利なだけでなく皮膚のうっかりとした汚染を最良に防止する脱ぎ動作を可能にする。
【００１７】
本発明による手袋対の別の構成では、容易でかつ確実な把持のために、少なくとも１つのグリップ補助が、少なくともほぼ９０°の各範囲にわたって延在している。
【００１８】
特に多様に利用可能な構成、つまり手袋装着者の手もしくは前腕の周方向における相対的な位置に関する大きな自由度を可能にする構成では、少なくとも１つのグリップ補助が、カフ部分の全周にわたって延在している。
【００１９】
また本発明の別の構成では、グリップ補助が１回又は複数回中断されており、このように構成されていると、多くの場合においてグリップ補助の把持及び保持を改善することができる。
【００２０】
装着動作及び脱ぎ動作を既に一回折り返されたカフ部分においても容易にするため、並びにこのような場合でも、引き続き行われる脱ぎ動作時における汚れた手袋と装着者の皮膚との接触を回避するために、本発明の別の有利な構成では、付加的に少なくとも１つのグリップ補助が、カフ部分の内側に設けられている。「内側」というのはこの場合、手袋を適正に装着している間、装着者の皮膚に向けられた側のことである。
【００２１】
このような構成において有利には、カフ部分の内側における少なくとも１つのグリップ補助が、カフ部分の外側におけるグリップ補助よりも手部分の近くに位置している。
【００２２】
手袋を同時に外す際に人間工学的に特に有利な脱ぎ動作を可能にする、本発明の別の構成では、手首関節の尺骨茎状突起の領域を覆うカフ部分の外側におけるグリップ補助が、手内側を覆うカフ部分の周方向区分におけるグリップ補助よりも、手袋の手部分の近くに位置している。
【００２３】
本発明の別の有利な構成では、少なくとも１つのグリップ補助が、少なくとも１つの貫通した開口を有している。このようなグリップ補助は、他方の手の単数又は複数の指又は棒状又はフック状の補助具がグリップ補助内に滑って入り込むこと及びグリップ補助を貫通することを可能にし、ひいてはグリップ補助から滑り出しを確実に防止することができる。
【００２４】
本発明の別の有利な構成では、グリップ補助が、カフ部分から隆起しているループとして形成されている。このようなグリップ補助は、手袋の通常使用時にはカフ部分にフラットに接触しているストラップを備えたバリエーションをも含む。
【００２５】
本発明の別の有利な構成では、少なくとも１つのグリップ補助が、少なくとも片側において開放したポケットを有している。このようなポケットにおいても、例えば他方の手の単数又は複数の指又は補助具を滑り込ませることによる確実な把持が保証されている。
【００２６】
ストラップ又はポケット内への他方の手の単数又は複数の指の滑り込みを容易にするため及び人間工学的に有利な保持を可能にするために、本発明の別の構成では、少なくとも１つのグリップ補助の方向付けが、最大で８０°カフ部分の長手方向軸線から偏位しており、有利にはほぼカフ部分の長手方向軸線と合致している。
【００２７】
しかしながらまた、少なくとも１つのグリップ補助が、カフ部分の長手方向軸線に対してほぼ直角に方向付けられているような構成も可能である。
【００２８】
装着時及び脱ぐ際における手袋の取扱い中における把持及び確実な保持を、様々な形式のグリップ補助において容易にするために、本発明の別の構成では、少なくとも１つのグリップ補助が、中間部分に設けられているか又は中間部分と一体的に形成されており、該中間部分自体がカフ部分に設けられているか又はカフ部分と一体的に形成されている。
【００２９】
上に挙げた数々のグリップ補助の構成の他に択一的に、本発明の別の構成では、少なくとも１つのグリップ補助が、ストラップ状、舌片状又は糸状の付加部として形成されている。このような形式のストラップ形状又は舌片形状のグリップ補助は端部又は途中に、開口、切り込み又はこれに類したものを備えていることができ、この開口や切り込み等によって、他方の手の単数又は複数の指又は補助具のよる滑り込みや貫通が可能になる。
【００３０】
本発明の別の有利な構成では、少なくとも１つのグリップ補助が、手袋の内側に向かって開放していて外方に向かって突出している中空の突出部として形成されている。このように構成されていると、手袋が装着されている場合に、ぴったりと接触している材料とは異なり、手袋材料からの隆起部又は折り目を、他方の手によって容易に掴むことが可能になる。このようなグリップ補助はほぼ円対称に又は縦長に、かつ場合によっては優先方向をもって形成されていることができる。
【００３１】
本発明の別の有利な構成では、カフ部分の周方向において互いに接続して少なくとも２つのグリップ補助が設けられていて、該グリップ補助が、カフ部分の長手方向軸線に対して互いに異なった方向に方向付けられている。
【００３２】
個別の縦長のグリップ補助においても、同じ効果を得ることができ、このような効果が得られる別の構成では、少なくとも１つのグリップ補助が少なくとも１回、カフ部分の長手方向軸線に対するその方向付けを変化させている。
【００３３】
本発明のさらに別の有利な構成では、少なくとも１つのグリップ補助が、グリップ性を高める表面構造を有している。このような構成は、カフ部分表面の材料を相応に粗面化することによって得ることもできるし、例えば突起、リブ又はこれに類したもののような種々異なった表面構造によっても得ることができる。また、このような表面構造には種々様々な形状が可能であり、例えばほぼ半球形状、円錐形状又はピラミッド形状の突起が可能である。
【００３４】
中心対称的なグリップ補助においても縦長のグリップ補助においても、少なくとも１つのグリップ補助が、カフ部分の表面から少なくとも部分的に大きくなる横断面を有していると、しっかりとした保持を容易にすることができる。グリップ補助はこのような構成では、例えば横断面で見てギリシャ文字のオメガ（Ω）に似ており、又は円錐を逆さまにした形状、又は横断面で見て逆三角形に似ている。
【００３５】
本発明の別の有利な構成では、少なくとも１つのグリップ補助の領域に、カフ部分の伸長領域が設けられており、このように構成されていると、手袋の引張りによる脱ぎ動作の第１段階が著しく容易になる。
【００３６】
グリップ補助が別個に製造されて、次いで手袋のカフ部分に取り付けられる場合には、少なくとも１つのグリップ補助が、手袋のカフ部分とは異なった材料、有利には掴みやすい材料から製造されているか又はこのような材料を備えていると、グリップ補助のグリップ性を改善することができる。
【００３７】
択一的に又は付加的に、手袋の周方向において、又は場合によっては長手方向において連続しているグリップ補助において、本発明の別の有利な構成では、互いに接続してかつ／又は互いに交差するようにカフ部分の周方向において少なくとも２つのグリップ補助が設けられていて、これらのグリップ補助がカフ部分の長手方向軸線に対して互いに異なった方向で方向付けられている。
【００３８】
さらにまた本発明の別の有利な構成では、グリップ補助及び／又は、少なくともカフ部分とグリップ補助との間の移行領域が、例えば混入された補強繊維を用いて補強されていると、手袋の強度、ひいては損傷に対する強度並びに、破損した手袋領域からの装着者の皮膚への不都合な汚染を改善することができる。
【００３９】
次に図面を参照しながら本発明による手袋又は手袋対の種々様々な実施例を説明する。
【００４０】
図１は、ただ１つのストラップ状のグリップ補助を備えた簡単化された本発明による構成を有する手袋を示す図であり、
図２は、同様にストラップ状のグリップ補助を備えた本発明による手袋のカフ部分領域を拡大して示す図であり、
図３〜図１０は、本発明による手袋の一連の脱ぎ動作を示す斜視図であり、
図１１は、２つのグリップ補助を備えた別の構成の本発明による手袋の装着時の状態を示す図であり、
図１２は、内側に付加的なグリップ補助を備えた別の構成の本発明による手袋を脱ぐ際の状態を示す図であり、
図１３は、カフ部分の別のポジション及び別の構成によるグリップ補助を示す図であり、
図１４は、図１３に示されたカフ部分を拡大して示す図であり、
図１５は、全周の大きな領域にわたって延在するグリップ補助を示す図であり、
図１６は、図１５に示された手袋を後ろから見た図であり、
図１７は、全周にわたってウェブ状に延びているグリップ補助を備えたカフ部分を示す図であり、
図１８は、図１７に示された手袋を後ろから見た図であり、
図１９は、ほぼ直径方向で互いに向かい合って位置する２つのグリップ補助を備えた、本発明による手袋のカフ部分を示す側面図であり、
図２０は、全周に沿って本発明によるグリップ補助を備えた別の構成のカフ部分を示す図であり、
図２１は、図２０に示された手袋を後ろから見た図であり、
図２２は、図２０に示されたグリップ補助に似たグリップ補助を備えたカフ部分を示す側面図であり、
図２３は、別の実施形態によるグリップ補助を備えた本発明による手袋対の左側の手袋を示す平面図であり、
図２４は、別の変化実施例によりグリップ補助を備えた右側の手袋を示す図であり、
図２５は、別の変化実施例によるグリップ補助が下側に配置されている、手袋対の左側の手袋のカフ部分を示す平面図であり、
図２６は、グリップ補助が尺骨茎状突起の上に配置されている、手袋対の右側の手袋のカフ部分を示す図であり、
図２７は、図２５に示されたカフ部分を後ろから見た図であり、
図２８は、図２６に示されたカフ部分を後ろから見た図であり、
図２９は、他の構成によるグリップ補助を備えた、手袋対の左側手袋のカフ部分を示す平面図であり、
図３０は、他の構成によるグリップ補助を備えた、手袋対の右側手袋のカフ部分を示す平面図であり、
図３１は、図２９に示されたカフ部分を後ろから見た図であり、
図３２は、図３０に示されたカフ部分を後ろから見た図であり、
図３３〜図３６は、種々様々な構成のグリップ補助を示す側面図であり、
図３７は、環状ではあるが複数箇所において中断されているポケット形状のグリップ補助を示す図であり、
図３８は、グリップ補助の別の実施形態を示す側面図であり、
図３９は、図３７に示された手袋のカフ部分を後ろから見た図であり、
図４０は、一列に並んで位置する複数のグリップ補助を備えた手袋を示す図であり、
図４１は、さらに別の実施形態によるグリップ補助を備えたカフ部分を示す平面図であり、
図４２は、互いに直径方向で反対側に位置している異なった実施形態による２つのグリップを備えたカフ部分を示す図であり、
図４３は、図４２に示された手袋を後ろから見た図であり、
図４４は、カフ部分の長手方向軸線に対して平行に配置されたストラップ形状のグリップ補助を備えたカフ部分を示す図であり、
図４５は、糸状のグリップ補助を備えた本発明によるカフ部分を示す図であり、
図４６は、周方向に連続している３つのグリップ補助を備えたカフ部分を示す図であり、
図４７は、周方向に連続している別の実施形態による３つのグリップ補助を備えたカフ部分を示す図であり、
図４８は、グリップ性を高める表面構造を有する環状のグリップ補助を備えたカフ部分を示す図であり、
図４９は、グリップ確実性を高めるための表面構造と個々のグリップ補助の間における伸長領域とを有するグリップ補助を備えた本発明によるカフ部分を示す図であり、
図５０は、さらに別の実施形態によるグリップ補助を備えた手袋を後ろから見た図であり、
図５１は、さらに別の実施形態によるグリップ補助を備えた本発明によるカフ部分を示す平面図であり、
図５２は、ストラップ形状をしていて互いに異なった方向付けで交差しているグリップ補助を備えたカフ部分を示す図であり、
図５３は、補強繊維を備えたグリップ補助を示す図であり、
図５４は、別個に製造された後で取り付けられるストラップ形状のグリップ補助を備えたカフ部分を示す図であり、
図５５は、別の実施形態による環状のグリップ補助を備えたカフ部分を後ろから見た図であり、
図５６は、図５５に示されたカフ部分を示す平面図であり、
図５７は、さらに別の実施形態によるグリップ補助を示す図であり、
図５８は、互いに接続しているグリップ補助のグループを備えたカフ部分を示す図であり、
図５９は、環状のグリップ補助用の別の実施形態を示す図であり、
図６０は、異なった方向に方向付けられていて連続しているグリップ補助を示す図であり、
図６１は、異なった方向に方向付けられていて中断部を有するグリップ補助を示す図である。
【００４１】
図１には右の手袋が上から見た平面図で示されており、この手袋は一体的な手袋本体Ｈから成っており、この手袋本体は、本来の手部分１と、それに続くカフ部分２とを有している。本発明のように構成された手袋Ｈは主として、装着者の手に直接的にかつ密着する構成であって、有利には防水性の弾性的な材料、有利にはゴムから成っており、そして有利には検査用又は手術用手袋として使用される。それにもかかわらず、本発明による手袋構成の利点は、その他のすべての手袋形態、例えば布製又は皮革製の手袋や、又は通常スーパマーケットやガソリンスタンドで使用されるプラスチック製の使い捨ての手袋においても得られる。
【００４２】
カフ部分２はその外周区分に、図示の例ではリンク板状もしくはストラップ状のグリップ補助３ａが設けられている。少なくとも１つのこのグリップ補助３ａは、尺骨茎状突起の領域の外側を覆っているカフ部分２の外周部分に設けられているが、この尺骨茎状突起の領域という表現は、単に周方向におけるおおよその位置を示しているに過ぎない。またグリップ補助３ａは、周方向で見て尺骨茎状突起の領域においてある一定の角度領域にわたって延在していることができる。長手方向においてグリップ補助３ａは種々異なったポジションに設けられることができ、極めて短いカフ部分２を備えた手袋のためには、本来の手部分１の領域に移動させることが可能であり、また手首の領域又は手の側部の領域に位置していてもよい。このようなグリップ補助及び後で述べるその他のすべてのグリップ補助は、有利には手袋本体Ｈからほとんど離れておらず、もしくはほとんど突出しておらず、そして容易にかつ確実に把持することができるが、それにもかかわらず作業動作時や検査動作時に邪魔にならないようになっている。グリップ補助はまた、カフ部分２の後縁部５から十分な間隔をおいて位置していて、着脱時に手袋装着の手に、反対側の手の組織（皮膚）の接触するおそれがないようになっている。
【００４３】
図２にはグリップ補助３ａが拡大して示されており、この図２から分かるように、グリップ補助３ａは手袋カフ部分２と一体的に構成されていて、装着者の皮膚とは反対側に位置するカフ部分２の表面を超えて隆起していて、他方の手の一本又は複数本の指か又は、手袋を取り扱うための補助手段を差し通すことができるようになっている。この補助手段は例えばフック又はこれに類したものであり、堅固に取り付けられていても又は他方の手によって保持されることもできる。
【００４４】
それぞれの形式のグリップ補助３ａを、カフ部分２の長手方向軸線に対して任意の有利な方向付けで設けることができる。図２には、例えば図１に似たストラップ状のグリップ補助が斜めに配置された形態が示されており、このようなグリップ補助は、手袋の尺骨茎状突起の領域から斜めに手の甲を超えて親指側に向かって最適に引っ張り力を加えることができる。
【００４５】
図３には、本発明による１対の手袋の脱ぎ動作の開始が斜視図で示されている。既に図１及び図２との関連において記載された、カフ部分２の尺骨茎状突起の領域におけるグリップ補助３ａの他に、有利には他方の手の手袋Ｈにも別のグリップ補助３が設けられており、この別のグリップ補助３は、周方向で見て手の甲部分４とは反対側に位置するポジションに設けられているか、又は少なくとも一方の側においてそれに続く箇所に設けられている。第１のグリップ補助及び別のグリップ補助３は、約１８０°にわたって延びていて尺骨茎状突起の領域から掌側に達する構造体として構成されていてもよい。
【００４６】
図３で見て左側の手袋におけるグリップ補助３を、他方の、つまり右側の手で掴んだ後（図３）で、図４に示されているように、第２の右側の手袋の外側において尺骨茎状突起の領域に配置されたグリップ補助３ａを、左手によって、両手もしくは前腕の人間工学的に有利な箇所において互いに把持することができる。装着者の皮膚は、汚された又は汚染された手袋の外表面とは接触しない。図５及び図６に示されているように、手をさらに引き抜くと、ほぼ同時に手袋は、前腕から、次いで掌もしくは手の甲から脱がされ、この際に手袋は既に部分的に、通常は外側に位置している表面が、それぞれ他方の手袋の中に引き込まれる。手がさらに引き出されて、さらに両手の指からさらに手袋が外されると、手袋は最終的に完全に裏返され、互いの中に引き込まれることによって互いに結合される（図７〜図１０参照）。従って使用者は図１０から分かるように、手袋を外した後で、場合によっては汚れた又は汚染された手袋外側と接触することなしに、手袋を手に持ち、かつ取り扱うことができる。
【００４７】
本発明のように構成されかつ配置されたグリップ補助３,３ａは、上に述べたように脱ぎ動作を容易にするのみならず、使用者は手袋を容易に装着することもできる。この場合使用者は手袋をストラップ又はこれに類したもの３,３ａにおいて掴み、そして手袋を腕もしくは身体に向かって引っ張ることによって、装着することができる。同じことは、図１１に示されているように、場合によっては既に（無菌の）手袋を装着している助手もしくは助力者が行うこともでき、この場合に引き続き無菌状態が保証されている。さらにこの第２の人は手袋を伸ばし広げることができる。すなわちこの場合第２の人は、手袋が２つ又はそれ以上のグリップ補助３,３ａを有している場合に、これらのグリップ補助３,３ａを互いに引き離して手袋Ｈの開口を伸ばし広げる。これにより手袋の使用者は、伸ばし広げられた手袋の開口（及び手袋）に容易に手を滑り込ませることができる。
【００４８】
手袋Ｈのカフ部分２が既に何らかの形で１回折り返されている場合、そして場合によっては外側に位置しているグリップ補助３,３ａが隠れているか又は指から滑り抜けてしまった場合には、図１２に示されているように、付加的に少なくとも１つのグリップ補助３ｂがカフ部分２の内側に設けられていると、さらなる脱ぎ動作を容易にすることができる。有利にはこのようなグリップ補助３ｂはカフ部分２の内側において、カフ部分２の外側におけるグリップ補助３,３ａよりも手袋Ｈの手部分１の近くに位置している。
【００４９】
グリップ補助３,３ａ,３ｂの他の形態、すなわちその構成、配置形式及び方向付けは、図１３〜図５４に種々例示されているが、これらの例に制限されるものではない。
【００５０】
貫通した開口を備えたストラップとして上述のように構成されたグリップ補助３,３ａの他に、手内側に配置されたグリップ補助３のために図１３及び図１４に示されているように、舌片状に形成されたグリップ補助３,３ａが設けられていてもよい。この舌片状のグリップ補助３は通常、カフ部分２の表面にフラットに接触しており、このことは、グリップ補助３,３ａ,３ｂの舌片状の構成及びその他のすべての構成にとっても有利なことである。
【００５１】
図１５には、大きな周囲領域にわたって延在するグリップ補助４が平面図で示されており、このグリップ補助４は、後ろからつまり前腕もしくは肘側から見た図である図１６から明らかなように、本来の尺骨茎状突起の領域の周りにおいてカフ部分２の手の甲側及び掌側にも延びている。図１５及び図１６に示されたグリップ補助４は、上に述べたグリップ補助３,３ａ,３ｂとは異なった構造を有していて、すなわち手袋Ｈの前方つまり手部分１に向かって閉鎖されかつ後方に向かって開放したポケットの形で形成されている。中央のウェブを備えた構成、つまり前方及び後方に向かって開放したポケット形状を有する構成もまた可能であり、このようなポケット形状は、他方の手又は補助手段によって着脱のために前方及び／又は後方から掴むことができ、ひいてはグリップ補助を確実に保持することができる。
【００５２】
図１７及び図１８に示された別の構成では、カフ部分２の全周にわたって延在する隆起部４ａがグリップ補助として設けられている。この隆起部４ａはカフ部分２自体の材料の突出部によって形成されていても、又はカフ部分２に設けられた付加的な材料によって形成されていてもよい。突出部４ａを形成するためには、突出部の形をした如何なる形式のグリップ補助に対しても、手袋用のプレス型（Tauchform）は相応な成形部（Ausformung）を備えていることができる。この成形部は手袋のプレス及び完成の後で、プレス型に残っていることができ、手袋から離されても又は場合によってはその中に残っていてもよい。プレス型はまた永久的な成形部を有していてもよい。
【００５３】
もちろん手袋対のため及び片方の手袋のために、カフ部分２は完全に環状に延びるグリップ補助４を備えていてもよい。この環状に延びるグリップ補助４はポケット形状に形成されていても、後方に向かってつまりカフ部分２の後縁部５に向けられた開口を備えて形成されていても、さらに前方に向かって又は交互に両方に向かって開放していてもよい。
【００５４】
図１９には、突出部構成の別のグリップ補助４が示されており、このグリップ補助４はカフ部分２のほぼ円対称の隆起部として形成されていて、手袋内部に向かって中空にかつ開放している。後者の構成は、図１７及び図１８に示された環状の隆起部４ａのためにも設けることができる。
【００５５】
図２０及び図２１には、図１７及び図１８に示された構成に似たグリップ補助の構成が示されている。カフ部分２の長手方向軸線の方向で互いに密に並んでいて該長手方向軸線に対してほぼ垂直に方向付けられた２つの隆起体（Grate）が、４つの中断部を除いてカフ部分２を完全に取り囲むグリップ補助４を形成している。グリップ補助４である隆起体は、ほぼ約４５°の角度範囲にわたって延びていて、周方向で言えば、カフ部分２の手の甲側、尺骨茎状突起の領域、親指側及び掌側に位置している。
【００５６】
図２２には、図２０に示されたのと似たグリップ補助４を備えたカフ部分が側面図で示されており、この実施例におけるグリップ補助４もまた、４つの中断部によって４つの分離された領域に分けられていて互いに並んで位置する２つの隆起体として形成されている。しかしながら図２０に示された構成では、グリップ補助４がカフ部分２に付加的に設けられた材料によって形成されているのに対して、図２２に示された隆起体は、カフ部分２２自体を折り返して出すことによって、有利には製造時におけるプレス工程（Tauchvorgang）中に形成された有利には内方に向かって開放した中空室として形成されている。
【００５７】
本発明による手袋対の左側の手袋のグリップ補助３は、図２３に示されているように、尺骨茎状突起の領域の手の甲側においては、カフ部分の後縁部５に対してほぼ平行に延びており、次いで、後縁部５に向かって斜めに掌側に延びていて、そこから再び小さな距離だけ縁部５に対して平行に延びる区分へと移行している。
【００５８】
手袋対の右側の手袋の尺骨茎状突起の上側領域に設けられているグリップ補助３ａは、図２４に示されているように、２つの半割管の形で形成されており、両半割管もしくはグリップ補助３ａは、カフ部分２の軸線に対して斜めに、尺骨茎状突起の側から親指側に向かって延びるように方向付けられている。使用者は他方の手の指及び／又は補助具を両側から半割管形状のグリップ補助に滑り込ませることができる。
【００５９】
図２５には、手袋対の左側のカフ部分が、図２３及び図２４におけるように平面図で示されている。グリップ補助３として、破線で示されているようにカフ部分２の掌側において周方向で見て親指領域つまり図２５で見て下側に、前方及び方向に向かって開放した縦長のポケットが設けられている。グリップ補助３として働くポケットの長手方向軸線、及び同様にカフ部分２と結合されたポケット中央の内側ウェブは、カフ部分２の長手方向軸線に対して斜めに傾けられていて、カフ部分２の長手方向軸線との間に例えば約４０°の角度を成している。グリップ補助３はその変化実施形態において、長手方向軸線に対して直角に方向付けられた配置形式とは明らかに異なって、手袋軸線に対して所定の角度をもって配置すること、すなわち反対側の手の少なくとも１つの指で人間工学的に、容易にかつ確実にグリップ補助を掴んで保持できるような角度をもって、配置することができる。
【００６０】
図２６には、手袋対の右側の手袋のカフ部分が示されており、このカフ部分は尺骨茎状突起の領域に配置されたグリップ補助３ａを備えていて、このグリップ補助３ａは図２５に示されたグリップ補助３と同様に両側が開放したポケットとして形成されている。図２７及び図２８には、図２５及び図２６に示されたカフ部分が後ろから見た図で示されており、この図２７及び図２８から、グリップ補助の周方向におけるポジションと周方向における長さが分かる。
【００６１】
図２３〜図２８に示されたような対を成している手袋対のグリップ補助３,３ａの別の構成及び配置形式が、図２９及び図３０に示されている。図２９に同様に破線で象徴的に示されているグリップ補助３から分かるように、この場合グリップ補助３はカフ部分２の下側、周方向で見て掌側に位置しており、これに対して、図３０に示された反対側の手袋におけるグリップ補助３ａはカフ部分２の手の甲側に設けられている。グリップ補助３,３ａの長手方向軸線はこの場合、手袋の長手方向軸線に対して正確に垂直に方向付けられており、グリップ補助３,３ａは周方向で見てカフ部分２の約９０°の角度範囲にわたって延在している。特に図３１及び図３２の後ろから見た図から明らかなように、グリップ補助３,３ａは例えば前方及び後方が開放したポケットによって形成されていて、この場合しかしながら中央のウェブは２つの中断部を有しており、これによって２つの開口が形成されていて、これらの開口を通して他方の手の指又は補助具を、グリップ補助３,３ａをさらに良好に掴むために滑り込ませることができる。
【００６２】
グリップ補助３,３ａの良好な把持には、様々な横断面形状が役立つ。例えば図３３は、ギリシャ文字の「オメガ（Ω）」に似たグリップ補助の形状が示されており、この形状は場合によっては、下方に向かって曲げられた外縁部を備えたきのこ形の構成に移行することもできる。図３４に示されたグリップ補助も同様に上方に向かって拡大したアルファベットの「Ｙ」の形の断面を有していて、これによってグリップ補助の確実な保持が容易になる。図３５に示されたグリップ補助の別の変化実施形態では、断面図もしくは側面図で見て２つの三角形に相当しており、この場合両方の三角形は、互いに向かい合った平行な辺もしくは面を有している。図３８には、互いに並んでいて丸みを帯びた隆起体の形のグリップ補助断面が示されている。しかしながら例えば図３６に示されているような断面もしくは側面図で見て逆三角形の形をしたグリップ補助のように、上方に向かって拡大する形状が有利である。
【００６３】
多くの使用目的のためには、例えば図３７及び図３９に示された本発明による手袋の実施形態に示されているように、場合によっては前方に向かって開放したポケットがグリップ補助として有利である。図３９の後ろからカフ部分２を見た図より明らかなように、ポケット状のグリップ補助４もまた、カフ部分２を周方向でほぼ完全に取り囲むように、そして小さな中断部によって別個の領域に分割されて形成されている。個々のポケット形状の領域は、角度的に９０°よりも幾分大きな角度にわたって延在していて、カフ部分２の周囲の手の甲領域、掌側、尺骨茎状突起領域及び親指領域に位置決めされており、かつグリップ補助のない細いカフ部分領域によって互いに隔てられている。
【００６４】
図４０から分かるように、任意に多くの個々のグリップ補助もしくはグリップ補助区分を、互いに間隔をおいて又は間隔なしに、連続的に設けることが可能である。例えば図４０の実施形態では、カフ部分２の尺骨茎状突起の上側領域における斜めのラインに沿って４つの個別ストラップが配置されており、これらのストラップはそれぞれ隣接したストラップから僅かな間隔をおいて位置していて、各ストラップ自体は尺骨茎状突起から手の親指側に向かって方向付けられており、これによってこの方向で最適に引っ張ることができる。
【００６５】
図４１には、カフ部分２の手の甲側に設けられた別の実施形態によるグリップ補助３ａが平面図で示されている。この図４１に示された構成では、手袋の長手方向軸線に対して垂直に方向付けられたポケット形状のグリップ補助３ａが、ポケットの上側を形成する領域に付加的に複数の開口を備えている。これらの開口は例えばスリットの形で（一番左）、ほぼ円形の孔（真ん中）又は楕円形の孔（一番右）として設けられており、これらの開口が優先方向（Vorzugsrichtung）を有している場合、この優先方向は、原則的にグリップ補助３ａ及び／又は手袋のカフ部分２の長手方向軸線に対して任意に方向付けることができる。
【００６６】
図４２に示された別の実施例から分かるように、手袋においては２つ又はそれ以上の異なった構成によるグリップ補助３,３ａを組み合わせることが可能であり、またグリップ補助を相互に及び／又は手袋の長手方向軸線に対して種々様々に位置決め及び方向付けすることが可能である。図４２の実施例では、カフ部分２の手の甲側に、手袋の長手方向軸線に対して垂直に真っ直ぐに方向付けられた隆起体がグリップ補助３ａとして設けられ、かつこのグリップ補助３ａとは直径方向で反対側にポケット形状のグリップ補助３が、カフ部分２の長手方向軸線に対して同様に垂直に位置するように設けられている。周方向で見た場合のポジションは図４３に示されている。
【００６７】
もちろん、複数のグリップ補助３,３ａが異なった手袋においてのみならず、同一の手袋において、手袋の長手方向で異なったポジションを占めるような構成も可能である。例えば図４２の実施例では隆起体状の上側のグリップ補助３ａは、ポケット形状の下側のグリップ補助３よりも、カフ部分の後縁部５から大きな間隔をおいて位置しており、下側のグリップ補助３は手袋の手部分１から大きく離れて位置している。しかしながらまたいずれにせよ、後縁部５の近くに位置するグリップ補助３,３ａ又は４は、カフ部分２の後縁部５から所定の間隔をおいて位置しており、グリップ３,３ａ又は４の把持時に汚れた又は汚染された手袋に、もはやカフ部分２によって覆われていない装着者の皮膚又は服が接触することがないようになっている。
【００６８】
図４４には、カフ部分２の長手方向軸線に対して平行に方向付けられたストラップ状のグリップ補助３ａを備えたカフ部分２が示されている。
【００６９】
図４５にはまったく異なった実施形態のグリップ補助３ａが示されている。このグリップ補助３ａは休止状態において蛇行形状でカフ部分２に接触している糸として形成されており、このグリップ補助３ａは他方の手によってカフ部分２から持ち上げられ、ほぼ任意の方向で引張り力を加えるのに使用することができる。
【００７０】
例えば図４６に示されているように、異なった構成を有する複数のグリップ補助を互いに直接的に接続することも可能である。図４６に示された構成では、確実な把持のために付加的に１つの長孔を備えたストラップ形状もしくは舌片形状の中央のグリップ補助の両側に、ストラップ状に形成されたグリップ補助が配置されている。互いに接続している異なったグリップ補助３ｄは、同じに又は平行に方向付けられていることが可能であるが、図示のように互いに異なった方向付けを有していることも可能である。そのために図４６に示された実施形態では、グリップ補助３ｄの外側に位置しているストラップ形状の領域の外端部は、手袋の手部分１に向かってずらされている。
【００７１】
図４７には同様に、異なった周方向ポジションにおいて異なった方向に方向付けられたグリップ補助３ａを備えた本発明によるカフ部分が示されており、しかしながらこの実施形態ではグリップ補助３ａの異なった領域は、ほぼ同様に形成されており、つまり上側のポケット画成部にスリットを備えたポケット形状の構成体として形成されている。図４６に示されたグリップ補助３ｄとは異なり、グリップ補助３ａの外側に位置する区分の外端部は、カフ部分２の後縁部５に向かってずらされている。
【００７２】
装着動作中又は脱ぎ動作中におけるグリップ補助の把持及び保持を容易にするために、グリップ補助の領域における表面のグリップ性を高めるための種々様々な処置もしくは手段を設けることが可能である。例えば図４８に示されているように、縦長のグリップ補助の場合及び環状のグリップ補助４の場合でもカフ部分２の長手方向もしくは周方向に延在している複数の溝が設けられていてもよい。これらの溝はカフ部分２の材料の折り目によって形成されていてもよく、このような構成は同時にグリップ補助の幅の拡大をも可能にし、これによってグリップ補助はさらに容易かつ簡単に保持されることができる。
【００７３】
図４８に示されているような溝の他にも、グリップ補助のためには他の形で構造化された表面領域が可能である。また単純に粗面化された面の他に、突子（Noppe）又は他の隆起体が面状に設けられていてもよい。突子自体もまた極めて様々な構成を有することができ、例えばほぼ半円形、ピン形、円錐又はピラミッド形状等に形成されていることができる。さらにまた、例えば図４９において環状の中断されたグリップ補助４のために示されているように、互いに隣接した領域において異なった構成が設けられているような実施形態も可能である。図４９においてさらに付加的に示されているように、グリップ補助自体（図４８参照）のみならず、溝又は折り目のような延伸可能な構成又は延伸可能な材料を備えた中間領域Ｘが形成されていてもよい。
【００７４】
カフ部分２の表面を幾分超えて、ここでは例えば手の甲側において隆起しているグリップ補助３ａが、図５０に示されている。このグリップ補助３ａはストラップ形状の部分から成っており、この部分の中央の領域は、側部分に比べて高く形成されていて、さらに付加的に、カフ部分２に対して垂直に方向付けられた長孔を備えている。
【００７５】
図５１に平面図で示された、ポケット形状のグリップ補助３ａを備えた本発明によるカフ部分２の別の実施形態では、グリップ補助３ａは１つの長手方向区分では後方に向かって、つまりカフ部分２の後縁部５に向かって開放しており、隣接した（図面で見て右側の）区分では、前方に向かって、つまり手袋の手部分１に向かって開放している。グリップ性をさらに高めるために、グリップ補助３ａの外面にはさらに、例えばワッフル状のエンボス加工部（Waffelpraegung）が設けられている。
【００７６】
本発明によるグリップ補助が単にカフ部分２の周方向及び長手方向において互いに接続可能であるのみならず、互いに交差していてもよいということは、例えば図５２に示されている。図５２に示された構成ではカフ部分２の手の甲側に４つのストラップ状のグリップ補助が設けられており、これらのグリップ補助のうち各２つのストラップは互いに十字に交差するように配置されている。個々のストラップは例えばそれぞれほぼ４５°だけカフ部分２の長手方向軸線に対して傾けられていて、同様に例えば各２つの十字のストラップ対が互いに並んで、カフ部分２の後縁部５からほぼ等しい間隔をおいて位置決めされている。
【００７７】
図５３に示された実施形態では、手袋の手部分１に向かって延びる舌片形状のグリップ補助３ａがカフ部分２の手の甲部分に設けられており、この場合グリップ補助３ａ自体及び結合領域には補強繊維が混入されている。グリップ補助及びカフ部分の結合領域もしくは移行領域を補強するこのような補強形式は、もちろんグリップ補助及びカフ部分の各実施形態のためにも設けられていてよい。
【００７８】
別個に製造されてカフ部分２に設けられるグリップ補助のための例として、図５４には、手袋の手の甲側のための舌片状のグリップ補助３ａが示されており、このグリップ補助３ａはカフ部分２に向けられた端部に小さなプレート状の拡大部３ｃを有しており、これらの拡大部３ｃによってグリップ補助３ａはカフ部分２と有利には接着されることができる。
【００７９】
しかしながらまた環状のグリップ補助は図５５及び図５６に示された実施形態におけるように構成されていてもよい。この実施形態では、閉鎖された又は両端部で手袋に固定されたベルトが、複数の箇所において、図示の実施例では８つの箇所において、手袋のカフ部分２を貫通案内されていて、有利にはシールされて又は貫通箇所においてカフ部分の材料とシール作用をもって、例えば接着又は融着によって結合されている。これによって手袋の外側には複数の、ここでは４つのループが、外側に位置するグリップ補助３,３ａとして生ぜしめられ、かつ同時にベルトの内側に位置する複数の区分、ここでは同様に４つの区分は、カフ部分２を通る貫通ポイントの間に十分な間隔が存在する場合には、内側のグリップ補助３ｂとして利用可能である。
【００８０】
図５７にはグリップ補助３,３ａの別の実施形態が示されており、この実施形態では外側に向かって分岐した縁部区分が、カフ部分２の後縁部４に対して平行に位置する真っ直ぐな区分によって結合されている。
【００８１】
図５８のカフ部分２では、互いに接続しているグリップ補助３のグループが互いに間隔をおいて位置決めされており、例えばカフ部分２の長手方向軸線に対して異なった方向付けで、かつ種々様々な実施形態において、つまり中央には長孔６を備えた舌片形状のグリップ補助３ａが、かつ側部には２つのストラップ形状のグリップ補助３が示されている。破線で示されているように、カフ部分２の掌側にも、例えば少なくとも片側において開放しているポケットとして形成されたグリップ補助３ａが設けられている。
【００８２】
図５９に示された構成では、環状のグリップ補助５がグループを成して設けられている。さらに図５９に示されているように、これらの環状のグリップ補助５はカフ部分２の長手方向軸線に対して斜めに方向付けられていることができ、もちろんグループの各グリップ補助５のために異なった方向付けを選択することも可能である。
【００８３】
図６０及び図６１に示されたグリップ補助３は、大きな角度範囲にわたってカフ部分２の外側の尺骨茎状突起領域から手の甲領域にわたって延在しており、その経過において例えば２回カフ部分２の長手方向軸線に対して延在方向を変えられている。図６０に示されたグリップ補助３が互いに連続的に移行する３つの区分から成っているのに対して、図６１には、互いに異なった方向付けでかつ互いの間に短い間隔をもって接続している３つの個別のグリップ補助３から成るグループが示されている。
【図面の簡単な説明】
【００８４】
【図１】ただ１つのストラップ状のグリップ補助を備えた簡単化された本発明による構成を有する手袋を示す図である。
【図２】同様にストラップ状のグリップ補助を備えた本発明による手袋のカフ部分領域を拡大して示す図である。
【図３】本発明による手袋の一連の脱ぎ動作を示す斜視図であって、第１段階を示す図である。
【図４】本発明による手袋の一連の脱ぎ動作を示す斜視図であって、第２段階を示す図である。
【図５】本発明による手袋の一連の脱ぎ動作を示す斜視図であって、第３段階を示す図である。
【図６】本発明による手袋の一連の脱ぎ動作を示す斜視図であって、第４段階を示す図である。
【図７】本発明による手袋の一連の脱ぎ動作を示す斜視図であって、第５段階を示す図である。
【図８】本発明による手袋の一連の脱ぎ動作を示す斜視図であって、第６段階を示す図である。
【図９】本発明による手袋の一連の脱ぎ動作を示す斜視図であって、第７段階を示す図である。
【図１０】本発明による手袋の一連の脱ぎ動作を示す斜視図であって、第８段階を示す図である。
【図１１】２つのグリップ補助を備えた別の構成の本発明による手袋の装着時の状態を示す図である。
【図１２】内側に付加的なグリップ補助を備えた別の構成の本発明による手袋を脱ぐ際の状態を示す図である。
【図１３】カフ部分の別のポジション及び別の構成によるグリップ補助を示す図である。
【図１４】図１３に示されたカフ部分を拡大して示す図である。
【図１５】全周の大きな領域にわたって延在するグリップ補助を示す図である。
【図１６】図１５に示された手袋を後ろから見た図である。
【図１７】全周にわたってウェブ状に延びているグリップ補助を備えたカフ部分を示す図である。
【図１８】図１７に示された手袋を後ろから見た図である。
【図１９】ほぼ直径方向で互いに向かい合って位置する２つのグリップ補助を備えた、本発明による手袋のカフ部分を示す側面図である。
【図２０】全周に沿って本発明によるグリップ補助を備えた別の構成のカフ部分を示す図である。
【図２１】図２０に示された手袋を後ろから見た図である。
【図２２】図２０に示されたグリップ補助に似たグリップ補助を備えたカフ部分を示す側面図である。
【図２３】別の実施形態によるグリップ補助を備えた本発明による手袋対の左側の手袋を示す平面図である。
【図２４】別の変化実施例によりグリップ補助を備えた右側の手袋を示す図である。
【図２５】別の変化実施例によるグリップ補助が下側に配置されている、手袋対の左側の手袋のカフ部分を示す平面図である。
【図２６】グリップ補助が尺骨茎状突起の領域の上に配置されている、手袋対の右側の手袋のカフ部分を示す図である。
【図２７】図２５に示されたカフ部分を後ろから見た図である。
【図２８】図２６に示されたカフ部分を後ろから見た図である。
【図２９】他の構成によるグリップ補助を備えた、手袋対の左側手袋のカフ部分を示す平面図である。
【図３０】他の構成によるグリップ補助を備えた、手袋対の右側手袋のカフ部分を示す平面図である。
【図３１】図２９に示されたカフ部分を後ろから見た図である。
【図３２】図３０に示されたカフ部分を後ろから見た図である。
【図３３】グリップ補助の１実施例を示す側面図である。
【図３４】グリップ補助の１実施例を示す側面図である。
【図３５】グリップ補助の１実施例を示す側面図である。
【図３６】グリップ補助の１実施例を示す側面図である。
【図３７】環状ではあるが複数箇所において中断されているポケット形状のグリップ補助を示す図である。
【図３８】グリップ補助の別の実施形態を示す側面図である。
【図３９】図３７に示された手袋のカフ部分を後ろから見た図である。
【図４０】一列に並んで位置する複数のグリップ補助を備えた手袋を示す図である。
【図４１】さらに別の実施形態によるグリップ補助を備えたカフ部分を示す平面図である。
【図４２】互いに直径方向で反対側に位置している異なった実施形態による２つのグリップを備えたカフ部分を示す図である。
【図４３】図４２に示された手袋を後ろから見た図である。
【図４４】カフ部分の長手方向軸線に対して平行に配置されたストラップ形状のグリップ補助を備えたカフ部分を示す図である。
【図４５】糸状のグリップ補助を備えた本発明によるカフ部分を示す図である。
【図４６】周方向に連続している３つのグリップ補助を備えたカフ部分を示す図である。
【図４７】周方向に連続している別の実施形態による３つのグリップ補助を備えたカフ部分を示す図である。
【図４８】グリップ性を高める表面構造を有する環状のグリップ補助を備えたカフ部分を示す図である。
【図４９】グリップ確実性を高めるための表面構造と個々のグリップ補助の間における伸長領域とを有するグリップ補助を備えた本発明によるカフ部分を示す図である。
【図５０】さらに別の実施形態によるグリップ補助を備えた手袋を後ろから見た図である。
【図５１】さらに別の実施形態によるグリップ補助を備えた本発明によるカフ部分を示す平面図である。
【図５２】ストラップ形状をしていて互いに異なった方向付けで交差しているグリップ補助を備えたカフ部分を示す図である。
【図５３】補強繊維を備えたグリップ補助を示す図である。
【図５４】別個に製造された後で取り付けられるストラップ形状のグリップ補助を備えたカフ部分を示す図である。
【図５５】別の実施形態による環状のグリップ補助を備えたカフ部分を後ろから見た図である。
【図５６】図５５に示されたカフ部分を示す平面図である。
【図５７】さらに別の実施形態によるグリップ補助を示す図である。
【図５８】互いに接続しているグリップ補助のグループを備えたカフ部分を示す図である。
【図５９】環状のグリップ補助用の別の実施形態を示す図である。
【図６０】異なった方向に方向付けられていて連続しているグリップ補助を示す図である。
【図６１】異なった方向に方向付けられていて中断部を有するグリップ補助を示す図である。
【図１】
2007508469.tif 000003
【図２】
2007508469.tif 000004
【図３】
2007508469.tif 000005
【図４】
2007508469.tif 000006
【図５】
2007508469.tif 000007
【図６】
2007508469.tif 000008
【図７】
2007508469.tif 000009
【図８】
2007508469.tif 000010
【図９】
2007508469.tif 000011
【図１０】
2007508469.tif 000012
【図１１】
2007508469.tif 000013
【図１２】
2007508469.tif 000014
【図１３】
2007508469.tif 000015
【図１４】
2007508469.tif 000016
【図１５】
2007508469.tif 000017
【図１６】
2007508469.tif 000018
【図１７】
2007508469.tif 000019
【図１８】
2007508469.tif 000020
【図１９】
2007508469.tif 000021
【図２０】
2007508469.tif 000022
【図２１】
2007508469.tif 000023
【図２２】
2007508469.tif 000024
【図２３】
2007508469.tif 000025
【図２４】
2007508469.tif 000026
【図２５】
2007508469.tif 000027
【図２６】
2007508469.tif 000028
【図２７】
2007508469.tif 000029
【図２８】
2007508469.tif 000030
【図２９】
2007508469.tif 000031
【図３０】
2007508469.tif 000032
【図３１】
2007508469.tif 000033
【図３２】
2007508469.tif 000034
【図３３】
2007508469.tif 000035
【図３４】
2007508469.tif 000036
【図３５】
2007508469.tif 000037
【図３６】
2007508469.tif 000038
【図３７】
2007508469.tif 000039
【図３８】
2007508469.tif 000040
【図３９】
2007508469.tif 000041
【図４０】
2007508469.tif 000042
【図４１】
2007508469.tif 000043
【図４２】
2007508469.tif 000044
【図４３】
2007508469.tif 000045
【図４４】
2007508469.tif 000046
【図４５】
2007508469.tif 000047
【図４６】
2007508469.tif 000048
【図４７】
2007508469.tif 000049
【図４８】
2007508469.tif 000050
【図４９】
2007508469.tif 000051
【図５０】
2007508469.tif 000052
【図５１】
2007508469.tif 000053
【図５２】
2007508469.tif 000054
【図５３】
2007508469.tif 000055
【図５４】
2007508469.tif 000056
【図５５】
2007508469.tif 000057
【図５６】
2007508469.tif 000058
【図５７】
2007508469.tif 000059
【図５８】
2007508469.tif 000060
【図５９】
2007508469.tif 000061
【図６０】
2007508469.tif 000062
【図６１】
2007508469.tif 000063
【国際調査報告】
2007508469.tif 000064
2007508469.tif 000065
2007508469.tif 000066
2007508469.tif 000067
2007508469.tif 000068
2007508469.tif 000069